(57)【要約】【課題】ギター型の電子弦楽器において、フレット操作子の操作でも効果制御を可能とする。【解決手段】下ケース１２０Ｂの内側に基板２を配設し、その上にフレキシブルシート３を配設し、その上に可動部シート４を配設する。可動部シート４の可動部４ａにハイポジション側の固定接点２ａに対向する可動接点４ａ１１を形成する。フレキシブルシート３のローポジション側に固定接点２ｂに対向する感圧抵抗層３ｂを形成する。フレット操作子１の押圧により、可動部４ａを押し下げ、固定接点２ａを可動接点２ｂで導通してフレットオンとする。可動部４ａのアクチュエータ部４ａ２でフレキシブルシート３を介して感圧抵抗層３ｂを固定接点２ｂに押圧する。感圧抵抗層３ｂの抵抗値からアフタタッチデータを得る。ミュート、チョーキング等の効果制御をする。【選択図】      図１
2004184644.tif 000002
【特許請求の範囲】
【請求項１】
フレット操作子を押圧し、該フレット操作子の押下に対応してこれに対応する操作子の押下を認識するフレットセンサを備えた電子楽器において、
フレット操作子の押圧力に対応して出力値が変化するアフタセンサを設けたことを特徴とする電子楽器。
【請求項２】
フレット操作子を押圧し、該フレット操作子の押下に対応してこれに対応する操作子の押下を認識するフレットセンサを備えた電子楽器において、
フレットセンサの一方がフレットのオン／オフを検出するスイッチで、他方がフレット操作子の押圧力に対応して出力値が変化するアフタセンサであって、該スイッチと該アフタセンサとが同一のフレット操作子の押下に連動してセンシングすることを特徴とする電子楽器。
【請求項３】
フレット操作子を押圧し、該フレット操作子の押下に対応してこれに対応する操作子の押下を認識するフレットセンサを備えた電子楽器において、
フレット操作子で押圧される可動スイッチを有する可動部と、
前記可動スイッチに対応する固定接点を有する基板と、
前記可動部と前記基板との間に介在されたフレキシブルシートと、
を備え、
前記基板の基板部および／または前記フレキシブルシートのシート部に、押圧力に対応してその出力が変化するセンシング手段が施されていることを特徴とする電子楽器。
【請求項４】
フレット操作子を押圧し、該フレット操作子の押下に対応してこれに対応する操作子の押下を認識するフレットセンサを備えた電子楽器において、
フレット操作子の押圧力に対応して出力値が変化するアフタセンサを設け、該アフタセンサの出力値に基づき前記フレット操作子の押圧力が所定値より弱いとき該フレット操作子に対応する楽音をミュートすることを特徴とする電子楽器。
【発明の詳細な説明】
【０００１】
【発明の属する技術分野】
本発明は、弦とフレットに対応するフレット操作子の押下を認識するフレットセンサを備えた電子楽器に関する。
【０００２】
【従来の技術】
従来、例えば特開２００２−１９６７５２号公報に開示された電子弦楽器がある。この電子弦楽器は、ギター型の電子楽器であって、ネック部（棹部）のフレット操作子を押下して音高を指定するとともに、弦入力部の撥弦操作をトリガとして楽音を発生するものである。そして、この弦入力部の撥弦操作に応じて、弱撥から強撥までのタッチ感を付与した楽音を発生することができる。
【０００３】
【特許文献１】
特開２００２−１９６７５２号公報
【０００４】
【発明が解決しようとする課題】
しかし、上記従来の電子弦楽器においては、ネック部（棹部）におけるフレット操作子はフレットのオン／オフを検出する単なるスイッチであるため、フレット操作子の操作による表現力に乏しいという問題がある。また、このような電子楽器においてフレット操作子で効果制御が可能なものはなかった。
【０００５】
そこで、本発明は、フレット操作子の操作でも効果制御が可能な電子楽器を提供することを課題とする。
【０００６】
【課題を解決するための手段】
請求項１の電子楽器は、フレット操作子の押圧力に対応して出力値が変化するアフタセンサを設け、このアフタセンサの出力値により効果制御を可能とした。
【０００７】
請求項２の電子楽器は、フレットセンサの一方がフレットのオン／オフを検出するスイッチと、フレット操作子の押圧力に対応して出力値が変化するアフタセンサとを設け、このスイッチとアフタセンサとが同一のフレット操作子の押下に連動してセンシングするようにした。
【０００８】
請求項３の電子楽器は、固定接点側の基板と可動スイッチを有する可動部との間にフレキシブルシートを介在させ、フレット操作子で可動部を押圧してこの可動部でフレキシブルシートを押圧し、基板の基板部および／またはフレキシブルシートのシート部に施したセンシング手段の出力を押圧力に対応して変化させるようにした。
【０００９】
請求項４の電子楽器は、アフタセンサの出力値に基づきフレット操作子の押圧力が所定値より弱いとき該フレット操作子に対応する楽音をミュートするようにした。
【００１０】
【発明の実施の形態】
図７は本発明の実施形態の電子楽器の外観図である。この電子楽器はギター型の電子楽器であり、その外観形状などの概略は特開２００２−１９６７５２号公報のものと同様である。ボディ１００の中央にはギターの第１弦〜第６弦に対応して各弦を模した金属ワイヤ製の６つの疑似弦を有する弦入力部１１０が配設されている。ネック１２０には、先端のヘッド部１２０ａ側から第１〜第１２フレット１３０が順に配設されており、ヘッド部１２０ａと第１フレット１３０との間と、他の隣接する各フレット１３０，１３０の間には、各疑似弦に対応する複数のフレット操作部１０が配設されている。また、ネック１２０のボディ１００側には設定スイッチ１４０と表示部１５０が配設されている。弦入力部１１０は疑似弦に対する撥弦操作に応じて発音トリガ信号と撥弦強度に応じたタッチデータを発生するものであるが、その構成作用は特開２００２−１９６７５２号公報における弦入力部と同様であるので、詳細な説明は省略する。
【００１１】
なお、図７の矢印▲１▼方向を「弦方向」、矢印▲２▼の方向を「フレット方向」という。すなわち、各フレット操作部１０は、６つの疑似弦の各々に対応してフレット方向に６段、第１〜第１２フレット１３０に対応して弦方向に１２段配設された複数のフレットセンサであり、このフレット操作部１０はネック１２０上に計７２個がマトリクス状に配設されている。そして、各フレット操作部１０には、そのフレット操作部１０のあるフレット方向と弦方向の交差位置に対応するギターにおける各弦各フレット位置を押さえた時の音高と同じキーコードが割当てられている。
【００１２】
図１は図７のＡ−Ａ矢視図であって、フレット操作部１０の構造を示す側断面図、図２はフレット操作部１０の要部分解斜視図である。前記ネック１２０の外装は、指板となる上ケース１２０Ａと棹となる下ケース１２０Ｂとで構成されている。なお、以下の説明では上ケース１２０Ａ側を「上」、下ケース１２０Ｂ側を「下」とし、第１２フレット１３０側を「ハイポジション側」、ヘッド部１２０ａ側を「ローポジション側」という。フレット操作部１０は、該フレット操作部１０を操作するための樹脂製のフレット操作子１を備えており、このフレット操作子１の摘み部１ａは、弦方向に隣接するフレット１３０，１３０間のほぼ間隔相当の長さを有しフレット方向を弦幅程度の矩形状とする角の丸い短冊状（長尺状）の形状となっている。そして、この摘み部１ａは上ケース１２０Ａに形成された溝１２０Ａ１から外側に突出されている。下ケース１２０Ｂの内側にはスイッチ回路を形成した基板２が配設されている。基板２の上にはポリエチレン−テレフタレート（ＰＥＴ）製のフレキシブルシート３が配設され、さらにフレキシブルシート３の上にはラバー製の可動部シート４が配設されている。
【００１３】
基板２上には一つのフレット操作部１０に対応して２つの固定接点２ａ，２ｂが弦方向に離間して形成され、該固定接点２ａ，２ｂの中間位置にチップ状ＬＥＤ２ｃが配設されている。フレット１３０の下方に対応した基板２の上面には、レジスト層等からなるスペーサ部Ｐが設けられている。フレット操作子１は赤色光に対する透光性を有するとともに、可動部シート４は透明であり、フレット操作子１はＬＥＤ２ｃの消灯時には外光を一部散乱して青みがかった色に見え、ＬＥＤ２ｃの発光によって赤く光って見える。このＬＥＤ２ｃの発光すなわちフレット操作子１の発光により和音表示や押弦表示を行うことができる。
【００１４】
フレキシブルシート３には、ハイポジション側の固定接点２ａとＬＥＤ２ｃとを可動部シート４側に臨ませるように開口３ａが形成されている。また、フレキシブルシート３の基板２側の面でローポジション側の固定接点２ｂに対向する位置には、感圧抵抗層３ｂが形成されている。なお、固定接点２ａ，２ｂは、それぞれ２つの端子を接近してパターン形成されたカーボン導体である。また、感圧抵抗層３ｂは絶縁体とカーボンを混合したバインダを練って塗布し固めたものである。
【００１５】
可動部シート４はフレット操作子１の下に当接する可動部４ａと該可動部４ａを支えるスカート部４ｂとを有している。可動部４ａには、ハイポジション側の固定接点２ａに対向する位置で下方に膨出した可動接点部４ａ１と、フレキシブルシート３の感圧抵抗層３ｂの位置（ローポジション側の固定接点２ｂに対向する位置）で下方に膨出したアクチュエータ部４ａ２とが形成されている。そして、可動接点部４ａ１の下面にはカーボン導体層からなる可動接点４ａ１１が形成されている。
【００１６】
基板２、フレキシブルシート３及び可動部シート４は、それぞれが第１〜第１２の全フレットにわたって配設された長尺の部材であり、上記の各構成要素を７２個の各々のフレット操作部１０に対応して備えている。
【００１７】
以上の構成により、フレット操作部１０は次のように作動する。フレット操作子１を押下することにより、スカート部４ｂの弾性力に抗して可動部４ａが押し下げられ、可動接点部４ａ１とアクチュエータ部４ａ２が基板２側に移動する。そして、可動接点部４ａ１の可動接点４ａ１１はフレキシブルシート３の開口３ａを介して固定接点２ａに接触し、固定接点２ａが導通してフレット操作部１０のオン状態（以後、「フレットオン」ともいう。）が検出される。なお、フレット操作子１の押圧力をなくすとスカート部４ｂの弾性回復力により、可動部４ａ及びフレット操作子１が図１の状態に戻り、オフ状態（以後、「フレットオフ」ともいう。）となる。
【００１８】
また、フレット操作部１０の押圧により、アクチュエータ部４ａ２はフレキシブルシート３を介して感圧抵抗層３ｂを固定接点２ｂに押圧する。このとき、感圧抵抗層３ｂは固定接点２ｂの両端子間を導通するが、この両端子間の抵抗値は感圧抵抗層３ｂに対する押圧力に応じたものとなる。すなわち、フレット操作子１に対する押圧力に応じて固定接点２ｂの両端子間の抵抗値が変化し、この抵抗値に応じた電圧信号がアフタタッチデータとして検出される。すなわち、感圧抵抗層３ｂ及び固定接点２ｂはフレット操作子１の押圧力に対応して出力値が変化するアフタセンサを構成している。
【００１９】
また、この感圧抵抗層３ｂ及び固定接点２ｂは、押圧力に対応してその出力が変化するセンシング手段でもあり、この感圧抵抗層３ｂと固定接点２ｂとの位置関係がフレキシブルシート３及び基板２により一定に保持される。すなわち、フレキシブルシート３を介して感圧抵抗層３ｂと固定接点２ｂとを押圧するので、センシング手段としての検出精度が安定する。また、感圧抵抗層３ｂとアクチュエータ部４ａ２との間にフレキシブルシート３が介在するので、感圧抵抗層３ｂをアクチュエータ部４ａ２の駆動から保護することができる。
【００２０】
なお、感圧抵抗層３ｂに対する押圧力と抵抗値の関係は感圧抵抗層３ｂのカーボンの量や厚み等により適宜設定できるものであり、例えば１０ｇ重以下の押圧力で抵抗値が１Ｍオーム以上となり、１ｋｇ重程度の押圧力で抵抗値が５〜１０オーム（数オーム）以下となるように設定するとよい。
【００２１】
また、可動接点４ａ１１と固定接点２ａはフレットのオン／オフを検出するスイッチであり、この一方のスイッチと他方の上記アフタセンサ（感圧抵抗層３ｂ及び固定接点２ｂ）とが、同一のフレット操作子１の押下に連動してセンシングするように構成されている。上記フレットスイッチと上記アフタセンサとを１つのアフタセンサで構成し、フレットの軽い押下（抵抗値比較的大）時にその値をスレッショルド値として検出し、それをフレットスイッチオンとして検出するとともに、フレットの押下力が増すにつれてその抵抗値を利用したアフタセンサを構成することをできる。図１、図２のようにスイッチとセンサとを分離構成することにより、操作子毎（ロット毎）のタッチ力に対するふぞろいを、すくなくすることができる。
【００２２】
以上のようにフレット操作部１０の操作により、フレットオンとアフタタッチデータが検出され、このフレットオンにより発生するキーコードにより楽音の音高が指定され、アフタタッチデータ（電圧信号）に基づいて各種の効果制御が行われる。特に、指をフレット操作子１のハイポジション側の位置（可動接点部４ａ１の上部）にしてフレットオンの操作をし、その位置から指をローポジション側に戻すような感覚でフレット操作子１に押圧力を加えると、演奏操作をしながら自然にアフタタッチの操作を行うことできる。次に、アフタタッチデータに基づく効果制御及び楽音発生制御について説明する。
【００２３】
図３は実施形態の電子楽器の要部回路ブロック図である。フレットスイッチ群１１は、７２個のフレット操作部１０の各固定接点２ａ（ハイポジション側）のオン／オフを検出するスキャン回路等で構成され、各フレット操作部１０のオン／オフ状態を示すフレット信号ＦＳ（すなわちフレットオンとなっているフレット操作部１０の弦番号とフレット番号を示す信号）を弦別高音優先回路１２に出力する。
【００２４】
弦別高音優先回路１２は、各弦毎に、フレットオンとなっているキーコードの内の最高音のキーコードＫＣ（１）  〜ＫＣ（６）  を選択的に出力し、これらの各弦毎のキーコードＫＣ（１）  〜ＫＣ（６）  は音源ブロック１３に入力される。なお、括弧付き数字“（１）  〜（６）  ”は第１弦〜第６弦にそれぞれ対応することを示し、弦を特定しないときは“（１）  〜（６）  ”を省略する。弦トリガ発生回路１４は、前記弦入力部１１０に対応しており、弦入力部１１０で検出される発音トリガ信をキーオン信号ＴＫＯＮ（１）  〜ＴＫＯＮ（６）  とし、疑似弦におけるタッチデータＴＣＨ（１）  〜ＴＣＨ（６）  と共に音源ブロック１３に出力する。
【００２５】
音源ブロック１３は第１弦〜第６弦に対応する６系統の音源を備えており、各音源はＰＩＴ制御回路１３Ａ、音色制御回路１３Ｂ及び音量制御回路１３Ｃで構成されている。ＰＩＴ制御回路１３Ａは、後術説明するように、フレット操作部１０のローポジション側の固定接点２ｂに対する押圧力が所定値以上の場合（強く押した場合）にはフレットオンで発生したキーコードに対して音高を半音上げた音高の周波数データ、また、押圧力が所定値未満の場合にはフレットオンで発生したキーコードの通常の音高の周波数データを生成し、音色制御回路１３Ｂに出力する。
【００２６】
音色制御回路１３Ｂは、周波数データに応じたピッチ及び音色の楽音波形信号を音量制御回路１３Ｃに出力する。音量制御回路１３Ｃは、この楽音波形信号を、後術の制御信号と弦トリガ発生回路１４で発生されるタッチデータＴＣＨ（１）  〜ＴＫＯＮ（６）  とに応じた音量の楽音波形信号に加工して出力する。そして、各弦対応の６つの音量制御回路１３Ｃから出力される楽音波形信号は、Ｄ／Ａ変換回路１５で合成されるとともにアナログ信号に変換され、サウンドシステム１６で楽音が発生される。
【００２７】
図５はＰＩＴ制御回路１３Ａの詳細を示すブロック図であり、一つの弦に対応する回路を示している。前記弦別高音優先回路１２から入力されるキーコードＫＣは周波数テーブルａでピッチに対応する周波数データＦに変換され、この周波数データＦはセレクタｂのＡ入力とセレクタｃのＡ入力に入力される。セレクタｂはＳＡ端子入力がローレベルのときＢ入力のデータを選択出力し、ＳＡ端子入力がハイレベルのときＡ入力のデータを選択出力する。
【００２８】
セレクタｂのＳＡ端子には弦トリガ発生回路１４からキーオン信号ＴＫＯＮ（弦トリガ信号のハイレベル）が入力されるので、トリガの立ち上がりによりＡ入力のデータすなわちＦを選択的にラッチ回路ｄに出力する。ラッチ回路ｄのＬ端子にはＯＲ回路ｆを介してキーオン信号ＴＫＯＮが入力されるので、セレクタｂの出力であるＦをラッチして乗算回路ｅに出力する。乗算回路ｅには乗算係数Ｓ１が入力されており、この乗算回路ｅはラッチ回路ｄから出力がある毎にこの出力（最初はＦ）に係数Ｓ１を乗算してセレクタｂのＢ入力とセレクタｃのＢ入力に出力する。
【００２９】
一方、キーオン信号ＴＫＯＮはフリップフロップｑのＳ端子とフリップフロップｍのＳ端子に入力されており、このキーオン信号ＴＫＯＮによりフリップフロップｑのＱ出力がハイレベルとなって発振回路ｇがイネーブルとなり、さらにフリップフロップｍのＱ出力がハイレベルとなってＡＮＤゲートｐが開かれる。また、キーオン信号ＴＫＯＮはＯＲ回路ｋを介して発振回路ｇのＲ端子とカウンタレジスタｈのＲ端子に入力され、これにより発振回路ｇがクロックパルスの出力を開始する。そして、このクロックパルスはＡＮＤゲートｐ及びＯＲ回路ｆを介してラッチ回路ｄのＬ端子に供給されるとともに、このクロックパルスがカウンタレジスタｈによりカウントされる。また、キーオン信号ＴＫＯＮがローレベルとなるとセレクタｂはＢ入力のデータすなわち乗算回路ｅの出力データをラッチ回路ｄに出力する。
【００３０】
したがって、キーオン信号ＴＫＯＮにより乗算回路ｅでＦに係数Ｓ１が乗算され、その後、クロックパルスによりラッチ回路ｄがセレクタｂの出力（乗算回路ｅの出力データ）をラッチするので、クロックパルスに追従して、乗算回路ｅはラッチ出力に対して係数Ｓ１を順次乗算する。すなわち、乗算回路ｅの出力は最初の周波数データＦに対して係数Ｓ１の累乗を乗算したものとなる。
【００３１】
一方、カウンタレジスタｈによるクロックパルスのカウント値は比較器ｊにより設定値Ｔ１と比較され、このカウント値が設定値Ｔ１に達すると比較器ｊから一致信号ＥＱが出力される。この一致信号ＥＱはフリップフロップｑとフリップフロップｍのリセット端子に出力されるとともに、ＯＲ回路ｋを介して発振回路ｇとカウンタレジスタｈの各リセット端子に出力される。したがって、クロックパルスのカウント値が設定値Ｔ１に達すると、フリップフロップｍの出力がローレベルになってＡＮＤゲートｐが閉じられ、ラッチ回路ｄにクロックパルスが供給されなくなる。これにより、乗算回路ｅの乗算は停止し、この乗算回路ｅが保持しているそれまでの乗算結果がセレクタｃのＢ入力に出力される。セレクタｃのＳＢ端子には、後術のフレット用アフタタッチ制御回路１９からの効果制御信号Ｅが入力され、セレクタｃは効果制御信号ＥがローレベルのときＡ入力のデータを選択出力し、ハイレベルのときＢ入力のデータを選択出力する。
【００３２】
ここで、例えば乗算回路ｅの係数Ｓ１が、
【数１】
2004184644.tif 000003
で、比較器ｊの設定値Ｔ１が１０００、発振回路ｇのクロックピッチが５００μｓｅｃに設定されているとする。この場合、カウンタレジスタｈでクロックパルスを１０００個カウントしたとき（弦トリガの発生から０．５ｓｅｃ経過したとき）クロックパルスが停止するので、乗算回路ｅの出力データＦ′は、
【数２】
2004184644.tif 000004
となり、Ｆ′はＦよりも半音高い周波数（ピッチ）となる。また、セレクタｃの出力としてＦからＦ′への変化を図示したように乗算回路ｅから出力されるＦ′はキーオン信号ＴＫＯＮ（弦トリガ）の発生から０．５ｓｅｃまでの間にＦからＦ′の間で徐々に大きくなる。すなわち、効果制御信号Ｅのハイレベルが入力されているときは、弦トリガの発生からフレットオンとなっている音高の楽音が発音開始から０．５ｓｅｃ間でスラーのように連続的に半音上がる音となる。これにより、ギターにおけるチョーキング奏法を得ることができる。
【００３３】
図３において、アフタセンサ群１７は、７２個のフレット操作部１０における感圧抵抗層３ｂの抵抗値を電圧信号に変換する回路であり、この７２個のフレット操作部１０の各々に対応する電圧信号を弦別高音優先回路１８に出力する。弦別高音優先回路１８は、上記電圧信号の閾値以上を検出する回路、高音優先回路、Ａ／Ｄ変換回路等を備えており、各弦毎に、所定の閾値以上の電圧信号のうちの最高音における電圧信号を選択し、それをＡ／Ｄ変換して各弦毎のアフタタッチデータＤ（１）  〜Ｄ（６）  として出力する。
【００３４】
アフタセンサ群１７及び弦別高音優先回路１８によりフレット操作部１０における感圧抵抗層３ｂの抵抗値をアフタタッチデータに変換する回路としては、例えば図６に概念的に示したように構成することができる。感圧抵抗層３ｂに一定電圧Ｖを印加し、感度設定用の可変抵抗器Ｒ１と感圧抵抗層３ｂとで電圧Ｖの分圧を検出し、これを弦トリガ（ＴＫＯＮ）で開くアナログゲート１７Ａを介してＡ／Ｄ変換回路１８Ａで電圧データに変換し、ＴＨ以上検出回路１８Ｂで所定レベル（ほぼ０に近い）以上の電圧データを出力する。したがって、アフタタッチデータＤ（１）  〜Ｄ（６）  は、対応するフレット操作子１０における押圧力の大小に対応して大小の値となる。そして、これらのアフタタッチデータＤ（１）  〜Ｄ（６）  はフレット用アフタタッチ制御回路１９にそれぞれ入力される。
【００３５】
一方、前記フレットスイッチ群１１に対応して弦別高音優先回路１２から出力されるキーコードＫＣ（１）  〜ＫＣ（６）  はフレットオフの場合には“０”であり、各弦毎のキーコードのビットの論理和が、フレットオンとなっている弦についてのキーオン信号ＦＫＯＮ（１）  〜ＦＫＯＮ（６）  とされ、フレット用アフタタッチ制御回路１９にそれぞれ入力される。
【００３６】
図４はフレット用アフタタッチ制御回路１９のブロック図であり、一つの弦に対応する回路を示している。前記弦別高音優先回路１８から入力されるアフタタッチデータＤは比較回路１９１に入力される。また、フレットオンとなっているフレット操作部１０のキーオン信号ＦＫＯＮ（図３におけるＦＫＯＮ（１）  〜ＦＫＯＮ（６）  ）のハイレベルがＡＮＤゲート１９ａ，１９ｂ，１９ｃに入力される。比較回路１９１にはアフタタッチデータに対応する設定値“Ａ”，“Ｂ”，“Ｃ”が入力されている。この設定値の値はＡ＜Ｂ＜Ｃの大小関係にあり、それぞれフレット操作部１０における押圧力の強さの範囲を規定する値となっている。
【００３７】
そして、比較回路１９１はアフタタッチデータＤとこれらの設定値とを比較し、Ｃ＜ＤのときＥ端子をハイレベル出力にしてＡＮＤゲート１９ａを開く。これによりキーオン信号ＦＫＯＮがＡＮＤゲート１９ａを介して前記効果制御信号Ｅとして出力されるとともに、ＡＮＤゲート１９ａとＯＲ回路１９ｄを介して通常用音量制御信号Ｖｎとして出力される。また、比較回路１９１はＢ≦Ｄ＜ＣのときＮ端子をハイレベル出力にしてＡＮＤゲート１９ｂを開き、これによりキーオン信号ＦＫＯＮがＡＮＤゲート１９ｂ及びＯＲ回路１９ｄを介して通常用音量制御信号Ｖｎとして出力される。また、比較回路１９１はＡ≦Ｄ＜Ｂのときμ端子をハイレベル出力にしてＡＮＤゲート１９ｃを開く。これによりキーオン信号ＦＫＯＮがＡＮＤゲート１９ｃを介してミュート用音色制御信号Ｔμ及びミュート用音量制御信号Ｖμとして出力される。
【００３８】
フレット用アフタタッチ制御回路１９は各弦に対応して設けられており、各弦対応の制御信号Ｅ（１）  〜Ｅ（６）  、Ｔμ（１）  〜Ｔμ（６）  、Ｖμ（１）  〜Ｖμ（６）  、Ｖｎ（１）  〜Ｖｎ（６）  がそれぞれ音源ブロック１３に出力される。図３では詳細な信号線の図示を省略してあるが、上記の各制御信号は音源ブロック１３内の各回路に選択的に入力される。効果制御信号Ｅ（１）  〜Ｅ（６）  はＰＩＴ制御回路１３Ａに入力され、ミュート用音色制御信号Ｔμ（１）  〜Ｔμ（６）  は音色制御回路１３Ｂに入力され、ミュート用音量制御信号Ｖμ（１）  〜Ｖμ（６）  と通常用音量制御信号Ｖｎ（１）  〜Ｖｎ（６）  は音量制御回路１３Ｃに入力される。そして、各制御信号により音高、音色、音量が制御される。
【００３９】
すなわち、フレット操作子１を強く押すと、アフタタッチデータＤがＣ＜Ｄとなり、通常の音色、通常の音量で前記チョーキング奏法に対応する楽音が発生される。フレット操作子１を通常の力で押すと、アフタタッチデータＤがＢ≦Ｄ＜Ｃとなり、通常の音色、通常の音量で楽音が発生される。また、フレット操作子１を弱く押すと、アフタタッチデータＤがＡ≦Ｄ＜Ｂとなり、フレット操作部１０で指定された音高で、ミュート用の音色で音量を下げた楽音が発生される。なお、音量は、上記の音量制御信号Ｖμ（１）  〜Ｖμ（６）  ，Ｖｎ（１）  〜Ｖｎ（６）  だけでなく、前記弦入力部１１０の撥弦強度に応じたタッチデータＴＣＨ（１）  〜ＴＫＯＮ（６）  によっても制御されることはいうまでもない。
【００４０】
ミュート時（Ｔμ，Ｖμがハイレベル時）の音色は、高調波がカットされた音色、または、ピッチはそのままで振幅をバーストさせて上下（振幅の両端）をスライスした波形（矩形波のような波形）の音色とする。また、音量も２０ｄＢ下げるようにする。これにより、ギターにおけるカット奏法（カッティング）のような音を出すことができる。
【００４１】
なお、アフタタッチデータＤがＤ＜Ａのときはアフタタッチは無視されるが、この場合でも、フレットスイッチ群１１によりフレットオンが検出され弦トリガ発生回路１４で対応する弦のトリガが検出されているときは、通常の楽音が発生される。また、ミュートの発音、通常の発音及びチョーキング奏法の発音の切り替点における押圧力は設定値“Ａ”，“Ｂ”，“Ｃ”の値により決まるが、これらの設定値は、フレット操作部１０における操作性、あるいはギターライクな奏法時の一般的な押圧力を考慮して適宜設定すればよい。また、これらの設定値の値による切替点はそれぞれ一点ではなく、この設定値付近での押圧力の微妙な変化に対応して、アフタタッチデータＤにヒステリシスを持たせるようにしてもよい。
【００４２】
また、実施形態では感圧抵抗層３ｂをフレキシブルシート３側に形成するようにしているが、基板２側（固定接点２ｂ上）に感圧抵抗層を形成してもよいし、フレキシブルシート３と基板２との両方に感圧抵抗層を形成するようにしてもよい。さらに、フレキシブルシート３を用いるのが好ましいが、このフレキシブルシート３をなくし、アクチュエータ部４ａ２の下面と基板２との何れか一方に感圧抵抗層を形成するか、また、両方に形成するようにしてもよい。
【００４３】
また、実施形態ではアフタタッチデータを、ミュート、通常、チョーキングの発音モードを切り替えるのに適用しているが、このアフタタッチデータに応じてビブラートを制御するなど、他の効果制御に適用してもよい。
【００４４】
また、実施形態では、音源ブロック１３が各弦に対応する６系統の音源を備え、フレット用アフタタッチ制御回路１９も各弦に対応して備えているが、これらの回路は、一つの回路で時分割処理を行うようにしてもよい。
【００４５】
また、実施形態ではアフタタッチデータに応じた効果の切替制御等をハードウエアで実現しているが、マイクロコンピュータとソフトウエアで構成してもよい。
【００４６】
また、実施形態では、弦トリガを弦入力部１１０の疑似弦の撥弦により得るようにしているが、スイッチ等の操作子で弦トリガを入力するものでもい。
【００４７】
【発明の効果】
請求項１の電子楽器によれば、フレット操作子の押下を認識するフレットセンサを備えた電子楽器において、フレット操作子の押圧力に対応してこのフレット操作子の操作でも効果制御が可能となる。
【００４８】
請求項２の電子楽器によれば、請求項１と同様な効果が得られるとともに、オン／オフを検出するスイッチとアフタセンサとが同一のフレット操作子の押下に連動してセンシングするので、構造が簡単で、しかも一本の指で同時に操作することもできるので演奏時の操作性がよい。
【００４９】
請求項３の電子楽器によれば、請求項１と同様な効果が得られるとともに、フレキシブルシートを介してセンシング手段（アフタセンサ）を操作するようにしたので、アフタタッチデータの検出精度が安定する。
【００５０】
請求項４の電子楽器によれば、請求項１と同様な効果が得られるとともに、フレット操作子の押圧力が所定値より弱いとき楽音をミュートするようにしたので、ギターにおけるカット奏法のような音を出すことができる。
【図面の簡単な説明】
【図１】本発明の実施形態におけるフレット操作部の構造を示す側断面図である。
【図２】同フレット操作部の要部分解斜視図である。
【図３】本発明の実施形態の電子楽器の要部回路ブロック図である。
【図４】本発明の実施形態におけるフレット用アフタタッチ制御回路のブロック図である。
【図５】本発明の実施形態におけるＰＩＴ制御回路の詳細を示すブロック図である。
【図６】本発明の実施形態における抵抗値変化をアフタタッチデータに変換する回路を概念的に示す図である。
【図７】本発明の実施形態の電子楽器の外観図である。
【符号の説明】
１…フレット操作子、２…基板、２ｂ…固定接点、３…フレキシブルシート、３ｂ…感圧抵抗層、４…可動部シート、４ａ…可動部
【図１】
2004184644.tif 000005
【図２】
2004184644.tif 000006
【図３】
2004184644.tif 000007
【図４】
2004184644.tif 000008
【図５】
2004184644.tif 000009
【図６】
2004184644.tif 000010
【図７】
2004184644.tif 000011